(57)【要約】【課題】天井高を高くすることができると共に、天井下地に取り付けられた天井板がガタつくのを抑制することができる建物の下地構造を提供する。【解決手段】耐火材１３を有すると共に当該耐火材１３に被覆された鉄骨梁１０と、鉄骨梁１０の下方に設けられる壁下地４０と、壁下地４０に対して水平方向に離間して設けられる天井下地７０と、壁下地４０と前記天井下地７０とを繋ぐように設けられる繋ぎ部材１００と、繋ぎ部材１００を介して前記天井下地７０に取り付けられる天井板材８０と、を具備する。【選択図】図１
2020153209.tif 000002
【特許請求の範囲】
【請求項１】
耐火材に被覆された梁と、
前記梁の下方に設けられる壁下地と、
前記壁下地に対して水平方向に離間して設けられる天井下地と、
前記壁下地と前記天井下地とを繋ぐように設けられる繋ぎ部材と、
前記繋ぎ部材を介して前記天井下地に取り付けられる天井板材と、
を具備する建物の下地構造。
【請求項２】
前記繋ぎ部材を介して前記壁下地に取り付けられる壁板材を具備し、
前記繋ぎ部材は、
下方へ向けて開放された枠状の壁側繋ぎ部を有し、
前記壁板材の上端部は、
前記壁側繋ぎ部に収容される、
請求項１の建物の下地構造。
【請求項３】
前記壁側繋ぎ部の一部は、
前記壁下地と前記壁板材との間に挟持される、
請求項２に記載の建物の下地構造。
【請求項４】
前記繋ぎ部材は、
前記壁側繋ぎ部の上端部よりも下方に接続されると共に水平方向に延びるように設けられた天井側繋ぎ部を有し、
前記天井板材は、
前記天井側繋ぎ部を介して前記天井下地に取り付けられる、
請求項２から請求項３までのいずれか一項に記載の建物の下地構造。
【請求項５】
前記天井側繋ぎ部の一部は、
前記天井下地と前記天井板材との間に挟持される、
請求項４に記載の建物の下地構造。
【請求項６】
前記壁下地は、
前記壁板材が取り付けられる側と反対側の面に、当該壁下地の上側と下側とを連通するように形成された凹部を有する、
請求項２から請求項５のいずれか一項に記載の建物の下地構造。
【発明の詳細な説明】
【技術分野】
【０００１】
本発明は、建物の下地構造の技術に関する。
【背景技術】
【０００２】
従来、建物の下地構造の技術は公知となっている。例えば、特許文献１に記載の如くである。
【０００３】
特許文献１の建物の下地構造においては、耐火材に被覆された鉄骨梁の下方に離間した位置であって、かつ、壁面材の近傍となる位置に、天井下地材が設けられる。天井下地材の下側面には、天井板が固定される。こうして、前記下地構造においては、耐火性を有すると共に、天井下地材が鉄骨梁の耐火材に接触するのを抑制しつつ、天井板を設けることができる。
【先行技術文献】
【特許文献】
【０００４】
【特許文献１】特開２０１７−１１５５０９号公報
【発明の概要】
【発明が解決しようとする課題】
【０００５】
しかしながら、特許文献１の建物の下地構造においては、天井下地材が鉄骨梁の下方に離間した位置に設けられるため、天井高が低くなるという問題があった。また仮に、天井高を高くするため、天井下地材の高さを高くすると共に、鉄骨梁との干渉を回避するように当該天井下地材を鉄骨梁から水平方向に離間した位置に設けた場合には、天井板の壁面材側の端部を天井下地材に固定することができず、ひいては当該天井下地材に固定された天井板（特に、壁面材側の端部）がガタつき易くなるという問題があった。
【０００６】
本発明は以上の如き状況に鑑みてなされたものであり、その解決しようとする課題は、天井高を高くすることができると共に、天井下地に取り付けられた天井板がガタつくのを抑制することができる建物の下地構造を提供するものである。
【課題を解決するための手段】
【０００７】
本発明の解決しようとする課題は以上の如くであり、次にこの課題を解決するための手段を説明する。
【０００８】
即ち、請求項１においては、耐火材に被覆された梁と、前記梁の下方に設けられる壁下地と、前記壁下地に対して水平方向に離間して設けられる天井下地と、前記壁下地と前記天井下地とを繋ぐように設けられる繋ぎ部材と、前記繋ぎ部材を介して前記天井下地に取り付けられる天井板材と、を具備するものである。
【０００９】
請求項２においては、前記繋ぎ部材を介して前記壁下地に取り付けられる壁板材を具備し、前記繋ぎ部材は、下方へ向けて開放された枠状の壁側繋ぎ部を有し、前記壁板材の上端部は、前記壁側繋ぎ部に収容されるものである。
【００１０】
請求項３においては、前記壁側繋ぎ部の一部は、前記壁下地と前記壁板材との間に挟持されるものである。
【００１１】
請求項４においては、前記繋ぎ部材は、前記壁側繋ぎ部の上端部よりも下方に接続されると共に水平方向に延びるように設けられた天井側繋ぎ部を有し、前記天井板材は、前記天井側繋ぎ部を介して前記天井下地に取り付けられるものである。
【００１２】
請求項５においては、前記天井側繋ぎ部の一部は、前記天井下地と前記天井板材との間に挟持されるものである。
【００１３】
請求項６においては、前記壁下地は、前記壁板材が取り付けられる側と反対側の面に、当該壁下地の上側と下側とを連通するように形成された凹部を有するものである。
【発明の効果】
【００１４】
本発明の効果として、以下に示すような効果を奏する。
【００１５】
請求項１においては、天井高を高くすることができると共に、天井下地に取り付けられた天井板材がガタつくのを抑制することができる。
【００１６】
請求項２においては、壁板材がガタつくのを抑制することができる。
【００１７】
請求項３においては、壁下地に対して繋ぎ部材をずれ難くすることができる。
【００１８】
請求項４においては、壁板材を天井板材よりも高く配置することができ、天井下地に取り付けられた天井板材がガタつくのを効果的に抑制することができる。
【００１９】
請求項５においては、天井下地に対して繋ぎ部材をずれ難くすることができる。
【００２０】
請求項６においては、凹部に他の部材を配置することができる。
【図面の簡単な説明】
【００２１】
【図１】本発明の一実施形態に係る下地構造を有する住宅の一部を示す断面模式図。
【図２】図１の一部の拡大図。
【図３】下地構造の一部の構造を示す斜視模式図。
【図４】（ａ）繋ぎ部材を示す斜視図。（ｂ）同じく、正面図。
【図５】（ａ）壁板材及び天井板材を取り付ける様子を示す図。（ｂ）図５（ａ）の続きを示す図。（ｃ）図５（ｂ）の続きを示す図。
【発明を実施するための形態】
【００２２】
以下では、図中の矢印に基づいて、前後方向、上下方向及び屋内外方向を定義して説明を行う。
【００２３】
まず、図１を用いて、本発明の一実施形態に係る下地構造を有する住宅１について簡単に説明する。なお、本実施形態において、前記下地構造とは、後述するように、住宅１の壁体２及び天井３の両方の下地構造を含んでいる。
【００２４】
図１に示す住宅１は、人（居住者）が居住するための、複数階（本実施形態においては、２階）立ての建築物である。住宅１は、主要な構造に鉄骨（例えば、後述する鉄骨梁１０）が用いられた鉄骨系住宅である。なお、図１は、住宅１のうち、２階部分の壁体２及び天井３の一部を示している。壁体２は、屋内空間と屋外空間とを仕切るものである。天井３は、屋内空間において居住空間（室内）と屋根裏空間とを仕切るものである。
【００２５】
以下では、図１から図４を用いて、本発明の一実施形態に係る壁体２及び天井３の下地構造について説明する。
【００２６】
図１に示すように、壁体２及び天井３の下地構造は、主として鉄骨梁１０、パネルフレーム２０、断熱板材３０、壁下地４０、配線５０、壁板材６０、天井下地７０、天井板材８０、防湿シート９０及び繋ぎ部材１００を具備する。
【００２７】
図１に示す鉄骨梁１０は、金属製のＨ形鋼である。鉄骨梁１０は、後述する外壁面材４の近傍に設けられる。鉄骨梁１０は、外壁面材４の面方向に沿うように配置される。図１に示す鉄骨梁１０においては、長手方向を前後方向（図１の紙面手前側から奥側）へ向けて配置される。鉄骨梁１０は、上フランジ（不図示）と下フランジ１１とを有する。上フランジと下フランジ１１との間には、断熱材１２が設けられる。また、鉄骨梁１０は、耐火材１３を有する。
【００２８】
図１及び図２に示す耐火材１３は、耐火性及び柔軟性を有する部材である。耐火材１３は、例えばロックウールにより構成される。耐火材１３は、鉄骨梁１０に対して屋内側から屋外側に巻き付けられる。具体的には、耐火材１３の大部分（下端部よりも上側部分）は、鉄骨梁１０の屋内側に設けられ、当該鉄骨梁１０に当接される。耐火材１３の下端部は、屋外側へ向けて屈曲される。このように、耐火材１３は、鉄骨梁１０の少なくとも一部分を被覆する。なお以下では、耐火材１３の屈曲された部分を「屈曲部１３ａ」と称する。屈曲部１３ａは、概ね下フランジ１１（より詳細には、下フランジ１１の屋内側半分）の下方に配置される。屈曲部１３ａの上側面は、下フランジ１１の下側面に当接される。
【００２９】
図１に示すパネルフレーム２０は、屋内外方向視で四角枠状のフレームである。パネルフレーム２０は、例えば溝型鋼により構成される。パネルフレーム２０の内側には、断熱材２１が設けられる。パネルフレーム２０は、鉄骨梁１０の下方に設けられる。パネルフレーム２０の上側面は、鉄骨梁１０（より詳細には、下フランジ１１の屋外側半分）の下側面に当接される。パネルフレーム２０は、ボルト２２により鉄骨梁１０の下フランジ１１と固定される。パネルフレーム２０の上端部の屋内側側面は、耐火材１３の屈曲部１３ａの屋外側側面に当接される。
【００３０】
図１に示す断熱板材３０は、断熱性を有する平板状の部材である。断熱板材３０は、例えばグラスウールボードにより構成される。断熱板材３０は、その板面を屋内外方向へ向けて設けられる。断熱板材３０の屋内側側面は、パネルフレーム２０の屋外側側面に当接される。断熱板材３０の上端部は、パネルフレーム２０の上端部と略同一の高さに位置する。これにより、壁体２において、断熱板材３０と耐火材１３とが上下方向において連続するように（上下方向において断熱板材３０と耐火材１３との間に隙間が生じないように）構成される。断熱板材３０の屋外方には、屋外に露出する外壁面材４が設けられる。
【００３１】
図１から図３に示す壁下地４０は、後述する壁板材６０が取り付けられる部材である。なお図３は、壁体２及び天井３の下地構造の一部の構造（より詳細には、壁下地４０、壁板材６０、天井下地７０、天井板材８０及び繋ぎ部材１００等の組み付け構造）を示すものであり、便宜上一部の部材の図示を省略している。壁下地４０は、鉄骨梁１０の下方に設けられる。より詳細には、壁下地４０は、鉄骨梁１０に被覆された耐火材１３の屈曲部１３ａの下方に設けられる。こうして、壁下地４０は、正面視で屋内外方向において鉄骨梁１０の内側に位置するように設けられる。壁下地４０の上側面は、耐火材１３の屈曲部１３ａの下側面に当接される。また、壁下地４０の屋外側側面は、パネルフレーム２０（図１においては、パネルフレーム２０の内側に設けられた断熱材２１）の屋内側側面に当接される。壁下地４０は、横胴縁４１と、間柱４２と、を有する。
【００３２】
横胴縁４１は、長手方向を横（前後）方向へ向けて配置される。横胴縁４１は、複数設けられ、上下方向に互いに適宜の間隔をあけて配置される。
【００３３】
間柱４２は、複数の横胴縁４１の屋外方に設けられる。壁板材６０は、長手方向を縦（上下）方向へ向けて配置され、複数の横胴縁４１と互いに固定される。間柱４２は、複数設けられ、前後方向に互いに適宜の間隔をあけて配置される。
【００３４】
こうして、壁下地４０は、複数の横胴縁４１と複数の間柱４２とにより屋内外方向視で格子状に形成される。また、壁下地４０には、前後方向に互いに隣り合う間柱４２と複数の横胴縁４１とにより、平面視で屋外側が開放された略矩形状の凹部４３が区画される（図３参照）。換言すれば、凹部４３は、壁下地４０の屋外側側面が屋内側へ向けて凹むように形成される。凹部４３は、壁下地４０の上側と下側とを連通するように形成される。凹部４３には、配線５０が設けられる。
【００３５】
図１から図３に示す配線５０は、室内に電気を供給するための電気配線である。なお図１及び図３においては、便宜上、配線５０を太破線により図示している。配線５０は、天井３から壁体２へ亘るように設けられる。配線５０の一側（天井３側の部分）は、後述する天井下地７０の上方に設けられた断熱材７２に載置される。配線５０の中途部（一側と他側との間）は、耐火材１３と断熱材７２との間や、耐火材１３と天井下地７０との間、耐火材１３及び壁下地４０（壁下地４０の上側面）と後述する繋ぎ部材１００との間等を通るように配置される。配線５０の他側（壁体２側）は、壁下地４０の凹部４３内に設けられる。
【００３６】
上述の如く凹部４３内の配線５０は、当該凹部４３内を上方から下方へと延びるように配置される。すなわち、凹部４３内の配線５０は、正面視で屋内外方向において壁下地４０の内側に配置される。配線５０の他側端部（下側端部）は、例えば室内の床面近傍に配設されたコンセント（不図示）と接続される。このように、壁体２内においては、配線５０が壁下地４０の凹部４３に設けられるため、配線５０を配置するためのスペースを別途確保する必要がなく、当該壁体２のコンパクト化を図ることができる。
【００３７】
図１から図３に示す壁板材６０は、屋内（室内）に露出する壁紙が貼付される平板状の部材である。壁板材６０は、例えば石膏ボードにより構成される。壁板材６０は、その板面を屋内外方向へ向けて設けられる。壁板材６０は、釘等の固定部材を用いて、後述する繋ぎ部材１００を介して壁下地４０に固定される。
【００３８】
図１から図３に示す天井下地７０は、後述する天井板材８０が取り付けられる部材である。天井下地７０は、野縁７１を有する。野縁７１は、複数設けられる。複数の野縁７１は、それぞれ互いに適宜の間隔をあけて、長手方向を前後方向又は屋内外方向へ向けて配置される。こうして、天井下地７０は、複数の野縁７１により平面視で格子状に形成される。
【００３９】
また、天井下地７０は、鉄骨梁１０よりも屋内方に設けられる。より詳細には、天井下地７０は、鉄骨梁１０の耐火材１３の屈曲部１３ａの屋内方に設けられる。天井下地７０の屋外側側面は、耐火材１３の屈曲部１３ａの屋内側側面に当接される。こうして、天井下地７０は、壁下地４０に対して所定幅（具体的には、壁板材６０及び耐火材１３の厚み幅分）だけ、屋内外方向（水平方向）に離間して設けられる。天井下地７０の上端面は、耐火材１３の屈曲部１３ａの上端面よりも高さが若干高く位置し、鉄骨梁１０の下フランジ１１と略同一の高さに位置する。また、天井下地７０の下端面は、屈曲部１３ａの下側面や、壁下地４０の上端面よりも下方に位置する。天井下地７０の上方には、断熱材７２が水平方向に延びるように設けられる。
【００４０】
このように、天井下地７０は、壁下地４０に対して所定幅だけ水平方向に離間して設けられるため、鉄骨梁１０と干渉することなく、高さを比較的高くすることができる。
【００４１】
図１から図３に示す天井板材８０は、屋内（室内）に露出するクロス（壁紙）が貼付される平板状の部材である。天井板材８０は、例えば石膏ボードにより構成される。天井板材８０は、その板面を上下方向へ向けて設けられる。天井板材８０は、釘等の固定部材を用いて、後述する繋ぎ部材１００を介して天井下地７０に固定される。
【００４２】
図１及び図２に示す防湿シート９０は、水分を透過し難いシート状の部材である。なお図１においては、便宜上、防湿シート９０を太実線により図示している。防湿シート９０は、例えばポリエチレンシートやプラスチックシート等の適宜の材質により構成される。防湿シート９０は可撓性を有する。防湿シート９０は、釘等の固定部材を用いて下方から天井下地７０に固定される。防湿シート９０は、平面視で天井３の全ての領域に亘るように（具体的には、天井板材８０の全ての領域を上方から覆うように）配置される（不図示）。なお、防湿シート９０は、図２に示す点Ｐよりも屋外側の部分（以下では「屋外側の部分９０ａ」と称する）が天井板材８０から屋外方にはみ出すように設けられる。
【００４３】
防湿シート９０のうち、屋外側の部分９０ａは、後述する繋ぎ部材１００により下方から支持される。こうして、屋外側の部分９０ａは、天井下地７０に固定された部分から垂れ下がることなく、繋ぎ部材１００により上方に持ち上げられる。持ち上げられた屋外側の部分９０ａは、耐火材１３に下方から当接される。
【００４４】
図１から図４に示す繋ぎ部材１００は、壁下地４０と天井下地７０とを繋ぐ部材である。繋ぎ部材１００は、例えば鋼板が適宜屈曲されることにより形成される。繋ぎ部材１００は、図３に示すように、複数設けられる。
【００４５】
まず、図４を用いて、１つの繋ぎ部材１００の構成について詳細に説明する。図４に示すように、繋ぎ部材１００は、壁側繋ぎ部１１０と、天井側繋ぎ部１２０と、を有する。
【００４６】
壁側繋ぎ部１１０は、繋ぎ部材１００のうち屋外側に形成される部分である。壁側繋ぎ部１１０は、外側板部１１１と、内側板部１１２と、天板部１１３と、を有する。
【００４７】
外側板部１１１は、壁側繋ぎ部１１０のうち最も屋外側に形成される部分である。外側板部１１１は、その板面を屋内外方向へ向けた略平板状に形成される。
【００４８】
内側板部１１２は、壁側繋ぎ部１１０のうち最も屋内側に形成される部分である。内側板部１１２は、その板面を屋内外方向へ向けた略平板状に形成される。内側板部１１２は、外側板部１１１から屋内方に離間して設けられる。外側板部１１１と内側板部１１２との間の幅は、壁板材６０の厚さ（屋内外方向の幅）と略同一に形成される。内側板部１１２の上端部は、外側板部１１１の上端部と略同一の高さに位置する。内側板部１１２の下端部は、外側板部１１１の下端部よりも上方に位置する。
【００４９】
天板部１１３は、外側板部１１１と内側板部１１２とを連結する部分である。天板部１１３は、その板面を上下方向へ向けた略平板状に形成される。天板部１１３の屋外側端部は、外側板部１１１の上端部と接続される。天板部１１３の屋内側端部は、内側板部１１２の上端部と接続される。
【００５０】
こうして、壁側繋ぎ部１１０は、外側板部１１１、内側板部１１２及び天板部１１３により、後述する天井側繋ぎ部１２０よりも上方に凹んだ溝状に形成される。換言すれば、壁側繋ぎ部１１０は、下方へ向けて開放されると共に、正面視で一辺（屋外側の辺）が他の辺（屋内側の辺、及び、上側の辺）よりも長く延びた四角枠状に形成される。
【００５１】
天井側繋ぎ部１２０は、繋ぎ部材１００のうち屋内側に形成される部分である。天井側繋ぎ部１２０は、その板面を上下方向へ向けた略平板状に形成される。天井側繋ぎ部１２０の屋外側端部は、壁側繋ぎ部１１０の内側板部１１２の下端部に接続される。すなわち、天井側繋ぎ部１２０の屋外側端部は、壁側繋ぎ部１１０の上端部よりも低い位置で当該壁側繋ぎ部１１０に接続される。天井側繋ぎ部１２０は、内側板部１１２の下端部から屋内側（水平方向）に延びるように設けられる。
【００５２】
次に、図１から図３を用いて、繋ぎ部材１００と他の部材との組み付けの構成について詳細に説明する。
【００５３】
繋ぎ部材１００は、上述の如く複数設けられる。複数の繋ぎ部材１００は、図３に示すように、前後方向に１つずつ並べられる。隣り合う繋ぎ部材１００は、互いに密着するように（互いの間に隙間が生じないように）配置される。繋ぎ部材１００は、天井下地７０に固定される。具体的には、壁側繋ぎ部１１０を屋外方へ向けて壁下地４０に対して突き当てた状態で、天井側繋ぎ部１２０が釘等の固定部材を用いて下方から天井下地７０に固定される。なお、天井側繋ぎ部１２０は、天井下地７０との間に防湿シート９０を挟持している。
【００５４】
また、図１及び図２に示すように、繋ぎ部材１００の壁側繋ぎ部１１０は、鉄骨梁１０の下方に設けられる。より詳細には、壁側繋ぎ部１１０の天板部１１３は、鉄骨梁１０に被覆された耐火材１３の屈曲部１３ａの下方に設けられる。壁側繋ぎ部１１０の天板部１１３は、正面視で屋内外方向において鉄骨梁１０の内側に位置するように設けられる。壁側繋ぎ部１１０の天板部１１３の上側面は、耐火材１３の屈曲部１３ａの下側面に当接される。また、壁側繋ぎ部１１０の外側板部１１１の屋外側側面は、壁下地４０の屋内側側面に当接される。壁側繋ぎ部１１０は、耐火材１３及び壁下地４０との間に防湿シート９０を挟持している。
【００５５】
このように、繋ぎ部材１００は、天井側繋ぎ部１２０において天井下地７０と固定されると共に壁側繋ぎ部１１０において壁下地４０と当接されることによって、当該天井下地７０と壁下地４０とを繋ぐように構成される。具体的には、繋ぎ部材１００は、壁下地４０に対して突き当てた状態で天井下地７０に固定されるため、互いに水平方向に離間した状態であっても、当該天井下地７０と壁下地４０との相対的な位置関係を比較的安定させることができる。すなわち、繋ぎ部材１００は、天井下地７０と壁下地４０との相対的な位置を概ね一定にすることができ、ひいては相対的な位置が変化するのを抑制することができる。
【００５６】
ここで、仮に天井下地７０と壁下地４０とが互いに水平方向に近接した状態に配置された場合（具体的には、例えば、天井下地７０が、耐火材１３や鉄骨梁１０と上下方向に並ぶように配置される程度に、壁下地４０と近接した状態に配置された場合）、天井下地７０は、耐火材１３や鉄骨梁１０と干渉するため、高さを高くすることができない。しかし、本実施形態では、上述の如く、天井下地７０と壁下地４０とを互いに水平方向に離間した状態で配置することができるため、天井下地７０を、鉄骨梁１０等と干渉することなく、高さを比較的高くすることができる。こうして、天井高を高くすることができる。
【００５７】
また、上述の如く四角枠状に形成された壁側繋ぎ部１１０の内側には、壁板材６０の上端部が収容される。壁板材６０の上端部は、壁側繋ぎ部１１０の天板部１１３に下方から当接される。また、壁板材６０の屋外側側面及び屋内側側面は、それぞれ壁側繋ぎ部１１０の外側板部１１１及び内側板部１１２に当該壁側繋ぎ部１１０の内側から当接される。こうして、壁板材６０の上端部は、壁側繋ぎ部１１０によって上方及び屋内外方向への移動が規制される。このように、繋ぎ部材１００の壁側繋ぎ部１１０の内側に壁板材６０の上端部が収容されると、当該壁板材６０の上端部がガタつくのを抑制することができる。
【００５８】
なお、壁板材６０は、上述の如く、釘等の固定部材を用いて壁下地４０に固定される。こうして、繋ぎ部材１００（より詳細には、壁側繋ぎ部１１０の外側板部１１１）は、壁板材６０と壁下地４０とにより挟持される。こうして、本実施形態のように、繋ぎ部材１００を（天井下地７０及び壁下地４０のうち）天井下地７０にのみ固定した場合、すなわち繋ぎ部材１００と壁下地４０とが釘等の固定部材を用いて互いに固定されていない場合であっても、当該繋ぎ部材１００が壁下地４０に対してずれるのを効果的に抑制することができる。
【００５９】
また、繋ぎ部材１００の天井側繋ぎ部１２０の下方には、天井板材８０が配置される。天井板材８０の上側面は、繋ぎ部材１００の天井側繋ぎ部１２０の下側面に当接される。また、天井板材８０の屋外側側面は、（繋ぎ部材１００の壁側繋ぎ部１１０に収容された）壁板材６０の上端部の屋内側側面に当接される。このように、天井板材８０の上側面及び屋外側側面を他の部材に当接（より詳細には、面接触）させることにより、天井板材８０の屋外側の端部の上方及び屋外方への移動を規制することができる。このように、繋ぎ部材１００の天井側繋ぎ部１２０の下方に天井板材８０を配置させることにより、当該天井板材８０の屋外側の端部がガタつくのを抑制することができる。
【００６０】
また、天井板材８０は、上述の如く、釘等の固定部材を用いて天井下地７０に固定される。こうして、繋ぎ部材１００（より詳細には、天井側繋ぎ部１２０）は、天井板材８０と天井下地７０とにより挟持される。こうして、繋ぎ部材１００を天井下地７０に釘等の固定部材を用いて固定するだけでなく、天井側繋ぎ部１２０を天井板材８０と天井下地７０とにより挟んだ状態で支持することによって、当該繋ぎ部材１００が天井下地７０に対してずれるのを効果的に抑制することができる。
【００６１】
次に、図５を用いて、繋ぎ部材１００に対して、壁板材６０及び天井板材８０を取り付ける態様について説明する。
【００６２】
まず、図５（ａ）に示すように、壁板材６０の上端部を屋外方へ向けて傾けると共に、当該壁板材６０の上端部を繋ぎ部材１００の壁側繋ぎ部１１０に突き当てた状態に配置する。次に、図５（ｂ）に示すように、壁板材６０の上端部を、壁側繋ぎ部１１０の外側板部１１１、内側板部１１２及び天板部１１３により囲まれた空間に押し込むと同時に、壁板材６０の下端部を床面側へ向けて移動させる。すなわち、壁板材６０を上端部近傍を概ね中心として正面視で時計回りに回動させる。こうして、壁板材６０は、上端部が壁側繋ぎ部１１０に収容されると共に、当該壁板材６０の板面を屋内外方向へ向けて配置される。これにより、壁板材６０の上端面を壁側繋ぎ部１１０の天板部１１３の下側面に当接させると共に、壁板材６０の下端面を床面と（概ね）当接させることができる。
【００６３】
次に、図５（ｃ）に示すように、天井板材８０を壁板材６０に突き当てるように移動させる。こうして、天井板材８０の屋外側側面を壁板材６０の屋内側側面に当接させることができる。
【００６４】
このような取り付け態様により、繋ぎ部材１００、壁板材６０及び天井板材８０を互いに漏れなく当接させることができ、天井下地７０に取り付けられた天井板材８０や、壁下地４０に取り付けられた壁板材６０がガタつくのを効果的に抑制することができる。
【００６５】
以上のように、一実施形態に係る住宅１の下地構造においては、
耐火材１３に被覆された鉄骨梁１０と、
前記鉄骨梁１０の下方に設けられる壁下地４０と、
前記壁下地４０に対して水平方向に離間して設けられる天井下地７０と、
前記壁下地４０と前記天井下地７０とを繋ぐように設けられる繋ぎ部材１００と、
前記繋ぎ部材１００を介して前記天井下地７０に取り付けられる天井板材８０と、
を具備するものである。
【００６６】
このような構成により、繋ぎ部材１００により天井下地７０と壁下地４０との相対的な位置が変化するのを抑制することができる。また、繋ぎ部材１００により天井下地７０と壁下地４０とを互いに水平方向に離間した状態で配置することができるため、鉄骨梁１０等と干渉することなく天井下地７０の高さを比較的高くすることができる。すなわち、前記下地構造の構成により、天井高を高くすることができると共に、天井下地７０に取り付けられた天井板材８０がガタつくのを抑制することができる。
【００６７】
また、前記下地構造においては、
前記繋ぎ部材１００を介して前記壁下地４０に取り付けられる壁板材６０を具備し、
前記繋ぎ部材１００は、
下方へ向けて開放された枠状の壁側繋ぎ部１１０を有し、
前記壁板材６０の上端部は、
前記壁側繋ぎ部１１０に収容されるものである。
【００６８】
このような構成により、壁板材６０の上端部は枠状の壁側繋ぎ部１１０によって上方及び屋内外方向への移動が規制されるため、当該壁板材６０がガタつくのを抑制することができる。
【００６９】
また、前記下地構造において、
前記壁側繋ぎ部１１０の一部（より詳細には、壁側繋ぎ部１１０の外側板部１１１）は、
前記壁下地４０と前記壁板材６０との間に挟持されるものである。
【００７０】
このような構成により、壁下地４０に対して繋ぎ部材１００をずれ難くすることができる。
【００７１】
また、前記下地構造において、
前記繋ぎ部材１００は、
前記壁側繋ぎ部１１０の上端部よりも下方に接続されると共に水平方向に延びるように設けられた天井側繋ぎ部１２０を有し、
前記天井板材８０は、
前記天井側繋ぎ部１２０を介して前記天井下地７０に取り付けられるものである。
【００７２】
このような構成により、壁板材６０の上端部を天井板材８０よりも高く配置することができる。こうして、天井板材８０の上側面及び屋外側側面を他の部材に当接（より詳細には、面接触）させることができ、天井板材８０がガタつくのを効果的に抑制することができる。また、壁板材６０の上端部を天井板材８０よりも高く配置することができるため、当該壁板材６０の上端面を、繋ぎ部材１００を介して耐火材１３（屈曲部１３ａ）の下端面に当接させることができる。このような構成により、壁体２においては、耐火材１３と壁板材６０（石膏ボード）とを上下方向において連続させる（上下方向において壁板材６０と耐火材１３との間に隙間が生じないようにする）ことができる。
【００７３】
また、前記下地構造において、
前記天井側繋ぎ部１２０の一部（より詳細には、天井側繋ぎ部１２０の屋内側端部の近傍部分）は、
前記天井下地７０と前記天井板材８０との間に挟持されるものである。
【００７４】
このような構成により、天井下地７０に対して繋ぎ部材１００をずれ難くすることができる。
【００７５】
また、前記下地構造において、
前記壁下地４０は、
当該壁下地４０の屋外側側面（前記壁板材６０が取り付けられる側と反対側の面）に、当該壁下地４０の上側と下側とを連通するように形成された凹部４３を有するものである。
【００７６】
このような構成により、凹部４３に他の部材（本実施形態においては、配線５０）を配置することができる。こうして、壁体２のコンパクト化を図ることができる。
【００７７】
なお、本実施形態に係る住宅１は、本発明に係る建物の一実施形態である。
【００７８】
以上、本発明の実施形態を説明したが、本発明は上記構成に限定されるものではなく、特許請求の範囲に記載された発明の範囲内で種々の変更が可能である。
【００７９】
例えば、建物は、住宅１に限定するものでなく、オフィスビルや、病院、学校等であってもよい。また、天井３は、居住空間と屋根裏空間とを仕切るものではなく、居住空間（例えば１階部分とその上の２階部分）とを仕切るものであってもよい。
【００８０】
また、梁は、鉄骨梁１０に限定するものではなく、任意の梁を採用することができる。
【００８１】
また、繋ぎ部材の構成は、繋ぎ部材１００に限定するものではなく、任意の構成を採用することができる。また、繋ぎ部材１００は、固定部材を用いて（天井下地７０及び壁下地４０のうち）天井下地７０にのみ固定するものとしたが、壁下地４０にのみ固定してもよく、また天井下地７０及び壁下地４０の両方に固定してもよい。また、繋ぎ部材は、繋ぎ部材１００のように、外側板部１１１、内側板部１１２及び天板部１１３により囲まれた空間を必ずしも有さなくてもよい。
【００８２】
また、壁下地４０の凹部４３に配置されるものは、配線５０（電気配線）ではなく、光配線等の他の種類の配線であってもよく、また配線ではなく配管等であってもよい。
【符号の説明】
【００８３】
１      住宅
４０    壁下地
６０    壁板材
１００  繋ぎ部材
１１０  壁側繋ぎ部
【図１】
2020153209.tif 000003
【図２】
2020153209.tif 000004
【図３】
2020153209.tif 000005
【図４】
2020153209.tif 000006
【図５】
2020153209.tif 000007